(57)【要約】【課題】透明な平板状製品の欠陥を容易に検査する。【解決手段】検査対象の平板状透明製品１５を挟んで配置される一対の偏光子１，２と、偏光子１，２の一方１を通して検査対象１５を照明する白色照明光源４と、一方の偏光子１と検査対象１５との間に配置される広帯域位相子３と、白色照明光源４から照明光が照射され一対の偏光子の他方の偏光子２から出射する透過光を検出する検出手段８と、他方の偏光子２と検出手段８との間に配置されたフィルタ手段２０と、フィルタ手段２０により波長分散されて検出手段８が検出した透過光データから評価値を算出し、該評価値が増大する方向に偏光子１の光学軸の角度θ１と広帯域位相子３の光学軸の角度θ２とを独立に制御する演算手段１０とを備える。【選択図】図１
2007171029.tif 000002
【特許請求の範囲】
【請求項１】
検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、前記フィルタ手段により波長分散されて前記検出手段が検出したそれぞれの透過光データから評価値を算出し該評価値が所定の方向に向かう様に前記一方の偏光子の光学軸の角度と前記広帯域位相子の光学軸の角度とを独立に制御する演算手段とを備えることを特徴とする検査装置。
【請求項２】
前記検査対象が透明基板と該透明基板に挟まれた液晶とでなることを特徴とする請求項１に記載の検査装置。
【請求項３】
前記検査対象が光学フイルムであることを特徴とする請求項１に記載の透明物体の検査装置。
【請求項４】
前記制御が終了した時点における前記検出手段の検出値を利用して前記検査対象のランク付けを行う手段を備えることを特徴とする請求項１から３のいずれかに記載の検査装置。
【請求項５】
前記検出値は、前記フィルタ手段により波長分散された前記検査対象の画像データであることを特徴とする請求項４に記載の検査装置。
【請求項６】
前記他方の偏光子から出射した透過光を集光するレンズと、該レンズの透過光を投影するスクリーンとを、前記他方の偏光子と前記フィルタ手段との間に配置し、該検出手段は前記スクリーンに投影された画像を前記フィルタ手段を介して検出することを特徴とする請求項１から５のいずれかに記載の検査装置。
【請求項７】
前記レンズは前記スクリーンへの投影画像を拡大縮小することができるレンズであることを特徴とする請求項６に記載の検査装置。
【請求項８】
前記評価値は、前記透過光のうちの高輝度部分と低輝度部分との間の輝度差であることを特徴とする請求項１から７のいずれかに記載の検査装置。
【請求項９】
前記演算手段は、前記輝度差を人間の視感度データに基づき人間の視感度で該輝度差が増大する方向に前記制御を進めることを特徴とする請求項８に記載の検査装置。
【請求項１０】
前記演算手段は、前記検査対象の平均輝度または前記低輝度部分の輝度が最小となるように前記制御を進めることを特徴とする請求項８又は請求項９に記載の検査装置。
【請求項１１】
前記演算手段は、前記検査対象の前記低輝度部分の輝度が指定輝度となるように、或いは、前記低輝度部分の輝度と指定輝度との差が最小となるように前記制御を進めることを特徴とする請求項８から１０のいずれかに記載の検査装置。
【請求項１２】
前記演算手段は、前記検査対象の前記低輝度部分の三刺激値が指定三刺激値となるように、或いは、前記低輝度部分の三刺激値と指定三刺激値との差が最小となるように前記制御を進めることを特徴とする請求項８から１０のいずれかに記載の検査装置。
【請求項１３】
検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、を備える検査装置の検査方法において、前記フィルタ手段により波長分散されて前記検出手段が検出したそれぞれの透過光データから評価値を求め、該評価値が所定の方向に向かう様に前記一方の偏光子の光学軸の角度と前記広帯域位相子の光学軸の角度とを独立に制御し、該制御が終了した時点における前記検出手段が検出した前記被検査対象の画像に基づいて該検査対象のランク付けを行うことを特徴とする検査方法。
【請求項１４】
検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、を備える検査装置の検査方法において、前記フィルタ手段により波長分散されて前記検出手段が検出したそれぞれの透過光データから評価値を求め、該評価値が所定の方向に向かう様に前記一方の偏光子の光学軸の角度と前記広帯域位相子の光学軸の角度とを独立に制御し、該制御が終了した時点における前記検出手段が検出した前記被検査対象の画像に基づいて該検査対象の欠陥の有無を判定することを特徴とする検査方法。
【請求項１５】
検査対象の平板状透明製品を挟んで配置される一対の偏光子と、
該偏光子の一方を通して前記検査対象を照明する白色照明光源と、
前記一方の偏光子と前記検査対象との間に配置される広帯域位相子と、
前記白色照明光源から照明光が照射され前記一対の偏光子の他方の偏光子から出社する透過光を検出する検出手段と、
前記他方の偏光子と前記検出手段との間に配置されたフィルタ手段と、
前記フィルタ手段により波長分散されて前記検出手段が検出したそれぞれの透過光データの演算手段から成り、
前記照明光源側の前記偏光子と前記広帯域位相子は照明光源の光路上で検出手段側の前記偏光子に対して自由に回転させて、所定の偏光状態を持つ表示デバイスをシミュレートする表示デバイスシミュレート装置であって、
前記所定の偏光状態を持つ表示デバイスと、前記所定の偏光状態を得るための前記照明光源側の前記偏光子と前記広帯域位相子の検出手段側の前記偏光子に対する回転位置関係と対応付けたテーブルを記憶する記憶手段と、
前記照明光源側の前記偏光子と前記広帯域位相子の回転位置制御を行う位置制御手段とを備え、
前期位置制御手段が、前記テーブルに基づいて前記照明光源側の前記偏光子と前記広帯域位相子の回転位置を、任意の前記表示デバイスに対応する前記位置関係となるように制御することを特徴とする表示デバイスシミュレート装置。
【請求項１６】
前記演算手段は、前記フィルタ手段により波長分散されて前記検出手段が検出した複数の透過光データを一つの透過光データに統合するデータ統合手段を更に備えることを特徴とする請求項１５に記載の表示デバイスシミュレート装置。
【請求項１７】
前記検査対象が光学フイルムであることを特徴とする請求項１５又は１６に記載の表示デバイスシミュレート装置。
【発明の詳細な説明】
【技術分野】
【０００１】
本発明は、光学フイルムや液晶パネル等の透明な平板状製品の欠陥を検査する検査装置、表示デバイスシミュレート装置及び検査方法に関する。
【背景技術】
【０００２】
表示デバイスの一例である液晶パネルから出力される偏光は、液晶パネルに入射される光源からの光の偏光状態を示すストークスパラメータと、液晶パネルに固有のミューラ行列とによって決まる。液晶パネルでは、液晶相を挟む電極に印加する電圧を制御することにより、複数のミューラ行列を持たせることが可能である。
【０００３】
従来、試作した位相差フイルムをあるミューラ行列を持つ液晶パネルの表面に貼り付けた場合に、その位相差フイルムによってどのような出力が得られるかを知りたい場合は、液晶パネルの表面に位相差フイルムを貼り付け、この状態で、液晶パネルに印加する電圧を制御して液晶パネルに所望のミューラ行列を持たせてから、位相差フイルムから出力される光を観測するといったことが行われていた。
【０００４】
しかしながら、液晶パネルが持つことのできるミューラ行列には限りがあり、全ての偏光を発生させることはできないため、様々な特性を持つ液晶パネルについて評価を行いたい場合には、その液晶パネルを全て用意しなければならず、評価にかかるコストが大きくなってしまう。一方、光学定盤にバビネソレイユ補償板やλ／４位相子及びλ／２位相子を配置しておき、これらにある偏光を入射し、バビネソレイユ補償板の水晶板の位置やλ／４位相子及びλ／２位相子の互いの位置を制御することにより、全ての偏光を出力させることが可能となっている。これを利用することにより、任意の偏光を出力させることができる。このため、任意の特性を持つ液晶パネルをシミュレートすることができ、様々な特性を持つ液晶パネルについて、実際の液晶パネルを用いることなく、位相差フイルムの評価を行うことができる。
【０００５】
下記の特許文献１に記載の表示ディバイスシミュレート装置は、波長分散に対応するため、波長ごとに光路を分岐させ、各光路中で偏光状態を調整した後、再び光を合成させている。各光路中には、λ／２、λ／４位相子が挿入されており、それらの光学軸相対角度を操作することで任意の偏光状態に対応している。
【０００６】
また、液晶モジュールを準備し、空間混色することで波長分散に対応可能とすることも行われている。
【０００７】
【特許文献１】特開２００５―２７４６５９号公報
【発明の開示】
【発明が解決しようとする課題】
【０００８】
しかし、特許文献１記載の表示ディバイスシミュレート装置では、位相子を光路ごとに準備する必要があるなどの光路を分岐・合成する煩雑さが生じるだけでなく、光の合成の伴う偏光状態の質が劣化する問題があった。また、液晶モジュールを準備して空間混色する場合には、液晶モジュールを準備しなければならない大変さがあった。
【０００９】
また、液晶画面等に貼り付けて視野角を改善する光学補償フイルム等の光学フイルムや、液晶パネル自体も、これらを透過した光を人間が見るため、検査対象フイルム（光学フイルム）や液晶パネル等の平板状の透明製品を検査員が実際に目視により検査したいという要望も高い。
【００１０】
本発明の目的は、透明な平板状製品の欠陥検査を容易に行うことができる検査装置を提供することにある。
【課題を解決するための手段】
【００１１】
本発明の検査装置は、検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、前記フィルタ手段により波長分散されて前記検出手段が検出したそれぞれの透過光データから評価値を算出し該評価値が所定の方向に向かう様に前記一方の偏光子の光学軸の角度と前記広帯域位相子の光学軸の角度とを独立に制御する演算手段とを備えることを特徴とする。
【００１２】
本発明の検査装置は、前記検査対象が透明基板と該透明基板に挟まれた液晶とでなることを特徴とする。
【００１３】
本発明の検査装置は、前記検査対象が光学フイルムであることを特徴とする。
【００１４】
本発明の検査装置は、前記制御が終了した時点における前記検出手段の検出値を利用して前記検査対象のランク付けを行う手段を備えることを特徴とする。
【００１５】
本発明の検査装置は、前記検出値が、前記フィルタ手段により波長分散された前記検査対象の透過光画像データであることを特徴とする。
【００１６】
本発明の検査装置は、前記他方の偏光子から出射した透過光を集光するレンズと、該レンズの透過光を投影するスクリーンとを、前記他方の偏光子と前記フィルタ手段との間に配置し、該検出手段は前記スクリーンに投影された画像を前記フィルタ手段を介して検出することを特徴とする。
【００１７】
本発明の検査装置は、前記レンズが、前記スクリーンへの投影画像を拡大縮小することができるレンズであることを特徴とする。
【００１８】
本発明の検査装置の前記評価値は、前記透過光のうちの高輝度部分と低輝度部分との間の輝度差であることを特徴とする。
【００１９】
本発明の検査装置の前記演算手段は、前記輝度差を人間の視感度データに基づき人間の視感度で該輝度差が増大する方向に前記制御を進めることを特徴とする。
【００２０】
本発明の検査装置の前記演算手段は、前記検査対象の平均輝度または前記低輝度部分の輝度が最小となるように前記制御を進めることを特徴とする。
【００２１】
本発明の検査装置の前記演算手段は、前記検査対象の前記低輝度部分の輝度が指定輝度となるように、或いは、前記低輝度部分の輝度と指定輝度との差が最小となるように前記制御を進めることを特徴とする。
【００２２】
本発明の検査装置の前記演算手段は、前記検査対象の前記低輝度部分の三刺激値が指定三刺激値となるように、或いは、前記低輝度部分の三刺激値と指定三刺激値との差が最小となるように前記制御を進めることを特徴とする。
【００２３】
本発明の検査方法は、検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、を備える検査装置の検査方法において、前記フィルタ手段により波長分散されて前記検出手段が検出したそれぞれの透過光データから評価値を求め、該評価値が所定の方向に向かう様に前記一方の偏光子の光学軸の角度と前記広帯域位相子の光学軸の角度とを独立に制御し、該制御が終了した時点における前記検出手段が検出した前記被検査対象の画像に基づいて該検査対象のランク付けを行うことを特徴とする。
【００２４】
本発明の検査方法は、検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出射する透過光を検出する検出手段と、前記他方の偏光子と前記検出手段との間に配置されたフィルタ手段と、を備える検査装置の検査方法において、前記フィルタ手段により波長分散されて前記検出手段が検出したそれぞれの透過光データから評価値を求め、該評価値が所定の方向に向かう様に前記一方の偏光子の光学軸の角度と前記広帯域位相子の光学軸の角度とを独立に制御し、該制御が終了した時点における前記検出手段が検出した前記被検査対象の画像に基づいて該検査対象の欠陥の有無を判定することを特徴とする。
【００２５】
また、本発明の表示デバイスシミュレート装置は、検査対象の平板状透明製品を挟んで配置される一対の偏光子と、該偏光子の一方を通して前記検査対象を照明する白色照明光源と、前記一方の偏光子と前記検査対象との間に配置される広帯域位相子と、前記白色照明光源から照明光が照射され前記一対の偏光子の他方の偏光子から出社する透過光を検出する検出手段と、前記他方の偏光子と前記検出手段との間に配置されたフィルタ手段と、前記フィルタ手段により波長分散されて前記検出手段が検出したそれぞれの透過光データの演算手段から成り、前記照明光源側の前記偏光子と前記広帯域位相子は照明光源の光路上で検出手段側の前記偏光子に対して自由に回転させて、所定の偏光状態を持つ表示デバイスをシミュレートする表示デバイスシミュレート装置であって、前記所定の偏光状態を持つ表示デバイスと、前記所定の偏光状態を得るための前記照明光源側の前記偏光子と前記広帯域位相子の検出手段側の前記偏光子に対する回転位置関係と対応付けたテーブルを記憶する記憶手段と、前記照明光源側の前記偏光子と前記広帯域位相子の回転位置制御を行う位置制御手段とを備え、前期位置制御手段が、前記テーブルに基づいて前記照明光源側の前記偏光子と前記広帯域位相子の回転位置を、任意の前記表示デバイスに対応する前記位置関係となるように制御することを特徴とするものである。
【発明の効果】
【００２６】
本発明によれば、透明な平板状製品の欠陥を容易且つ確実に検出することが可能となる。
【発明を実施するための最良の形態】
【００２７】
以下、本発明の一実施形態について、図面を参照して説明する。
（第１の実施形態）
【００２８】
図１は、本発明の第１の実施形態に係る検査装置の構成図である。この実施形態の検査装置は、検査対象としての光学補償フイルムをフルカラーで検査するが、これに限るものではなく、他の平板状の透明製品の欠陥検査も同様に行うことができる。
【００２９】
本実施形態の検査装置は、一対の偏光子１，２と、偏光子１，２と平行且つ偏光子１と偏光子２との間に置かれる広帯域λ／４フイルム（λ／４広帯域位相子）３と、偏光子１の外側に配置された白色照明光源であるハロゲンファイバー照明装置４と、このハロゲンファイバー照明装置４からの光を平行光にして偏光子１に入射する平行光照射手段５と、ハロゲンファイバー照明装置４から偏光子１に入射され偏光子２から出射された光を集光するレンズ６と、レンズ６の透過光が投影されるスクリーン７とを備える。
【００３０】
本実施形態の検査装置は、更に、スクリーン７の背面に設置されてスクリーン７に投影された像を検出する検出手段８と、該スクリーン７と検出手段８との間に配置されたフィルタ手段の一例であるカラーフィルタ２０と、人間の視感度データを格納したメモリ９と、検出手段８の検出値に基づいて後述する様に制御を進める演算装置１０と、演算装置１０の求めた評価値に基づいて偏光子１の光学軸の回転角θ１（照明光の光軸に垂直な面内での回転角）と広帯域λ／４フイルム（λ／４広帯域位相子）３の光学軸の回転角θ２（照明光の光軸に垂直な面内での回転角）とを駆動する回転駆動装置１１とを備える。検出手段８としては、本実施形態では、二次元輝度計を用いるが、これに限定されるものではない。
【００３１】
λ／４広帯域位相子３は、波長が略４００〜８００ｎｍの可視域の光に対して図２に示すような光学特性を有する。即ち、波長６１０ｎｍの赤色光（Ｒ光）に対して位相差１２０ｎｍ、波長５４０ｎｍの緑色光（Ｇ光）に対して位相差１５１ｎｍ、波長４００ｎｍの青色光（Ｂ光）に対して位相差１５９ｎｍを持っている。
【００３２】
カラーフィルタ２０は、赤色光（Ｒ光）のみを透過させるＲ干渉フィルタ、緑色光（Ｇ光）のみを透過させるＧ干渉フィルタ、および青色光（Ｂ光）のみを透過させるＢ干渉フィルタの３枚のフィルタであり、スクリーン７に投影された投影画像が、検出手段８の前（偏光子２側）に配置されたカラーフィルタ２０（Ｒ干渉フィルタ、Ｇ干渉フィルタ、またはＢ干渉フィルタ）に従って赤色、緑色、または青色が検出手段８で検出される。尚、カラーフィルタ２０は、検出手段８に内蔵されたものであってもよい。
【００３３】
本実施形態の検査装置では、被検査フイルム１５を広帯域λ／４フイルム３と偏光子２との間に挿入し、欠陥検査を行うが、被検査フイルム１５のフイルム面は、偏光子１，２や広帯域λ／４フイルム３の面と平行に配置する。また、被検査フイルム１５のフイルム面内光学軸は、偏光子２の透過軸と４５°で交わるようにし、レンズ６は、その透過光が被検査フイルム１５に観察焦点を合わせる様に位置調整される。
【００３４】
被検査フイルム１５のフイルム面は、任意の角度へ変更可能であり、任意の視角からフイルム１５を検査できる様になっている。また、偏光子１に入射される照明光がもともと直線偏光している場合には、照明される側に配置してある偏光子１をλ／２広帯域位相子で代用してもよい。照明光が被検査フイルム１５のフイルム面上で一様な偏光を持つためには、照明光は拡散光ではなく平行光であることが望ましく、本実施形態では、平行光照射手段５を用いて平行光にしているが、平行光にする具体的手段は何でもよい。このように、平行光を照明光として用いることで、検出手段８の配置位置に依存する視角依存性が少なくなり、照明領域内輝度信号を一様にすることができるという効果も得られる。
【００３５】
本実施形態の検査装置では、被検査フイルム１５に対して偏光子１，広帯域位相子（広帯域λ／４フイルム）３を通して平行な照明光が入射され、被検査フイルム１５の透過光が偏光子２を透過し、レンズ６で集光され、スクリーン７に投影される。この投影画像は、カラーフィルタ２０（Ｒ干渉フィルタ、Ｇ干渉フィルタ、またはＢ干渉フィルタ）を介して検出手段８で検出され、検出データが演算装置１０に出力される。
【００３６】
演算装置１０は、検出データを用いて評価値を算出する。本実施形態では、検出データのうちの高輝度部分と低輝度部分との輝度差を評価値として算出する。この輝度差は、偏光子１の光学軸の回転角θ１を変えると変化し、また、広帯域λ／４フイルム３の光学軸の回転角θ２を変えると変化する。このため、演算装置１０は、θ１とθ２とを独立に制御し、評価値（輝度差）が増大する方向にこの制御を進め、制御が終了した時点（これ以上、輝度差が大きくならなくなった時点）での評価値を、その被検査フイルム１５の評価値とする。
【００３７】
かかる評価値を求めるために、演算装置１０は、背景輝度Ｙｂと、背景輝度Ｙｂと異なる輝度部分すなわち欠陥部位の輝度Ｙｏとを識別する。そして、△Ｙ＝｜Ｙｂ−Ｙｏ｜とし、△ＹｍｉｎをＹｂに対する輝度差弁別閾値としたとき、Ｃ＝△Ｙ／Ｙｂが、Ｃｍｉｎ＝△Ｙｍｉｎ／Ｙｂより大きく、Ｃが最大値となるように、偏光子１の光学軸角θ１と、広帯域λ／４フイルム３の光学軸角θ２とを制御する。
【００３８】
演算装置１０は、このθ１，θ２を演算するとき、人間の視感度データを用いて演算を行う。本実施形態の演算装置１０が人間の視感度データを用いるのは、次の理由による。
【００３９】
検出手段８は、ＣＣＤ型イメージセンサやＣＭＯＳ型イメージセンサで構成されるが、これらのイメージセンサの感度は、人間が目視により検出できる感度とは異なる。人間の目は、例えば、「新編  色彩化学ハンドブック  第２版」東京大学出版会日本色彩学会編の第５４頁に記載されている様に、背景輝度に対して識別できる輝度差が背景輝度の大きさによって異なっている。このため、スクリーン７の背面側で投影画像すなわち被検査フイルム１５の輝度画像を検査員が目視したとき、欠陥が有るか否かを容易に判断できるθ１，θ２の値は、人間の目の感度に合わせた最適値に制御する必要があるからである。
【００４０】
次に、演算装置１０が行う演算処理の詳細について説明する。
（１）被検査フイルム１５がセットされ透過光が投影されたスクリーン７上の輝度が検出手段８により測定されると、演算装置１０は、高輝度部分（欠陥部分）を除いた低輝度部分の平均輝度を背景輝度Ｙｂ１とし、欠陥部分との輝度差ΔＹ１を求める。そして、偏光子１の角度θの原点をθ１とし、広帯域λ／４フイルム３の角度θの原点をθ２として、背景輝度Ｙｂ１と輝度差ΔＹ１とを求める。予めコンピュータ内のメモリ９に記憶されている人間の視感度データの背景輝度Ｙｂに対する輝度差ΔＹのデータより輝度差弁別閾値ΔＹ１ｍｉｎを求め、Ｚ１＝ΔＹ１−ΔＹ１ｍｉｎを計算する。
【００４１】
（２）次に、偏光子１の角度θを＋４°変更してθ１とし、広帯域λ／４フイルム３の角度θの原点をθ２として、背景輝度Ｙｂ２と輝度差ΔＹ２とを求める。その後、−２°変更して、上述の（１）の状態に戻す。（１）と同様に、予めコンピュータ内のメモリに記憶されている背景輝度Ｙｂ２に対するΔＹのデータより輝度差弁別閾値ΔＹ２ｍｉｎを求め、Ｚ２＝ΔＹ２−ΔＹ２ｍｉｎを計算する。
【００４２】
（３）次に、偏光子１の角度θ１を＋２°変更してθ1とし、広帯域λ／４フイルム３の角度θを＋４°変更してθ２とし、背景輝度Ｙｂ３と輝度差ΔＹ３とを求める。（１）と同様に予めコンピュータ内のメモリに記憶されている背景輝度Ｙｂ３に対するΔＹのデータより輝度差弁別閾値ΔＹ３ｍｉｎを求め、この後（１）の状態に戻し、Ｚ３＝ΔＹ３−ΔＹ３ｍｉｎを計算する。
【００４３】
（４）上記の（１）（２）（３）より、Ｘ軸をθ１、Ｙ軸をθ２、Ｚ軸にＺの３次元表記を考えると、次のようになる。（１）と（２）と（３）の条件を比較して、ｍａｘ｛Ｚ１，Ｚ２，Ｚ３｝を求め、例えば最大値がＺ１ならば（２）と（３）のθ１，θ２の条件を対称に（１）のθ１，θ２の条件を折り返し、（４）の条件とする。
【００４４】
同様に（２）と（３）と（４）の条件を比較してｍａｘ｛Ｚ２，Ｚ３，Ｚ４｝を求め、例えば最大値がＺ３ならば、（２）と（４）のθ１，θ２の条件を対称に（３）のθ１，θ２を折り返し、（５）の条件とする。これを模式的に示した図が図３である。以下同様の手順を返すことにより、背景輝度Ｙｂに対する輝度差弁別閾値ΔＹｍｉｎを計算し、ΔＹｍｉｎより大きな欠陥輝度と背景輝度の差｜Ｙｏ−Ｙｂ｜の最大値を探す。即ち、偏光子１と広帯域λ／４フイルム３の夫々の最適な角度θ１，θ２を決定する。
【００４５】
これにより、検査員が目視で検査対象フイルム１５を観察する場合、人間の視感度にあったθ１，θ２に制御されるため、検査員はスクリーン７を見ることで、フイルム１５の欠陥の有無を自身の目で確認することができる。
【００４６】
そして、演算装置１０も、｜Ｙｏ−Ｙｂ｜＞ΔＹｍｉｎなる輝度部分が存在すれば、その被検査フイルム１５は欠陥フイルムであると判定することができ、存在しなければ、良品フイルムと判定することができる。
【００４７】
尚、上記の例では、θの角度のステップを４°としたが、これに限定されるものではない。通常、大きな値で収束させ、繰り返し回数が増えるにつれステップを小さくする方法が望ましい。
【００４８】
このような最急降下法の一つであるシンプレックス法は、例えば、文献「“科学計測におけるデータ処理技法”南茂夫監修、河田聡偏著、Ｐ１３８〜１５１」に記述されている。
【００４９】
この例はシンプレックス法であるが、その他の最適化手法を使用してもよい。例えば、ニュートンラプソン法、モンテカルロ法、シミュレーテドアニーリング法、ヤコビ法などである。また、真の最適値を確実に求めたい場合は、多少最適化の時間が長くても全ての変数を変化させて最適値を求める方法がより望ましい。
【００５０】
例えば、偏光子と広帯域位相子の組合せで発生可能な偏光状態は、次の（数１）で計算できる。
【００５１】
【数１】
2007171029.tif 000003
【００５２】
ここで、
α１；位相子進相軸の地面に対する傾き角度。
α２；偏光子透過軸の地面に対する傾き角度。
δ  ；位相子の位相差。
具体的には、波長６１０ｎｍの赤色光（Ｒ光）に対する位相差は１２０ｎｍであるのでδred＝２π×１２０／６１０、波長５４０ｎｍの緑色光（Ｇ光）に対する位相差は１５１ｎｍであるのでδgreen＝２π×１５１／５４０、波長４４０ｎｍの青色光（Ｂ光）に対する位相差は１５９ｎｍであるのでδblue＝２π×１５９／４４０となる。
【００５３】
位相子の位相差δ（δred、δgreen、δblue）および入射偏光状態は固定なので、位相子進相軸の地面に対する傾き角度α１と偏光子透過軸の地面に対する傾き角度α２とを指定すれば、入射光の偏光状態を調整することができる。
【００５４】
偏光子透過後の直線偏光の方位角度と位相差進相軸との組合せで発生可能な偏光状態は、例えば、波長４４０ｎｍ（青色光（Ｂ光））に対して（数２）で表される。尚、波長６１０ｎｍ（赤色光（Ｒ光））および波長５４０ｎｍ（緑色光（Ｇ光））の偏光状態も、同様に表される。
【００５５】
【数２】
2007171029.tif 000004
【００５６】
（数２）において、ａとｂとの組合せで再現可能な偏光状態は、図４に示すポアンカレ球として図示される。図４に示すように、円偏光領域以外では、任意の偏光が発生できる。図４に示すポアンカレ球において、極部の白い領域は高輝度領域を示している。検査対象フイルム１５のムラ検査では、高輝度領域は必要ではなく、本発明では、実質的に必要とされるポアンカレ球の赤道部分付近の領域を偏光子１および広帯域位相子３を用いて偏光させる。
【００５７】
従って、予め液晶パネルより出射されるＲ、Ｇ、Ｂフィルタごとの偏光状態を測定しておき、（式２）に基づいて青色光（Ｂ光）の測定偏光状態を偏光子１、広帯域位相子３の光学軸を平行光垂直面内で回転させて再現する。この再現光を検査対象フイルム１５に照射することで、検査対象フイルム１５および偏光子２の透過光が、スクリーン７に投影されて画像を形成する。この画像は、Ｂ干渉フィルタ（カラーフィルタ２０）を通して検出手段８により検出され、輝度分布が測定される。
【００５８】
同様に、赤色光（Ｒ光）、緑色光（Ｇ光）についても輝度分布を測定する。得られた３つの輝度分布データ（Ｒ、Ｇ、Ｂ輝度分布データ）を、演算装置１０で  下式
フルカラー輝度ムラ分布画像＝Ａ１×Ｒ輝度分布＋Ａ２×Ｇ輝度分布＋Ａ３×Ｂ輝度分布
に従って重み付けをして加算することにより検査対象フイルム１５を使用した際の色をフルカラーで観察、評価することができる。但し、Ａ１、Ａ２、Ａ３は、重み係数である。
【００５９】
以上の様にして、本実施形態の検査装置では、検査対象フイルム１５毎の評価値（θ１，θ２の制御が終了した時点の評価値）が求まるが、演算装置１０は、その評価値の大きさによって検査対象フイルムのランク付けを行い、そのランクを出力するのが良く、検査員はこのランクを参考にして目視検査を行うことが可能となる。また、評価値が所定値の範囲から外れたとき、その検査対象フイルムを欠陥品と判定して判定結果を出力する構成とすることも可能である。また、制御後、改めて検出された二次元輝度データより、例えば特願２００４―２４９８３０号に記載されている様な方法（下記の第２実施形態の方法）を用いて定量値を算出し、その値の大小により被検査フイルムをランク付けすることもできる。
（第２の実施形態）
【００６０】
本実施形態の検査装置の基本構成は、図１の構成と同じであるのでその説明は省略するが、本実施形態では、検出手段８として、カラー画像撮像用のイメージセンサを用い、また、光源４として白色光光源を用いる。図５は、本実施形態の演算装置１０の機能ブロック図であり、この演算装置１０は、画像入力部１０ａと、画像データ変換部１０ｂと、視覚特性適合部１０ｃと、画像品質評価値算出部１０ｄとを備える。
【００６１】
画像入力部１０ａは、検出手段８から出力される検出データすなわちスクリーン７に投影された２次元カラー画像データを読み取り、画像データ変換部１０ｂは、２次元カラー画像データを反対色空間の刺激値データに変換し、視覚特性適合部１０ｃは、刺激値データをフーリエ変換してパワースペクトルを求めてこのパワースペクトルに人間の視覚特性を表す関数を重畳し更に逆フーリエ変換する。画像品質評価値算出部１０ｄは、刺激値データに基づき画像品質評価値を求めるよう動作する。
【００６２】
図６は、被検査フイルム１５が欠陥品の場合に観察されるスジやムラの例を示す図であり、図示の例では３例を示している。これらのスジやムラがスクリーン７の投影画像に現れたとき画像品質定量評価の対象となる。スジやムラとしては、図６（ａ）の一本スジ、図６（ｂ）の周期的ムラ、図６（ｃ）のランダムなムラなどがある。
【００６３】
図７は、本実施形態の画像品質定量評価の処理手順を示すフローチャートである。先ず、画像入力部１０ａは、検出手段８から出力される検出データ（二次元ＲＧＢ画像データ）を取り込み（ステップＳ１１）、この二次元ＲＧＢ画像データを画像データ変換部１０ｂに送る。スジやムラを含んだ二次元ＲＧＢ画像データは、画像入力部１０ａによって読取られた後、Ａ／Ｄ変換により濃度レベルに数値化され、この濃度値と空間位置との情報からなるデジタル値の画像データ（赤色濃度値Ｒ，緑色濃度値Ｇ，青色濃度値Ｂ等）として、画像データ変換部１０ｂに送られる。
【００６４】
次に、画像データ変換部１０ｂは、デジタル化された画像データから、予め記憶されている特性パラメータに基づき、次の（数３）によってマトリクス変換が行われ、三刺激値に変換される（ステップＳ１２）。具体的には、画像データの色特性値（Ｒ，Ｇ，Ｂ）と、これらを標準化した画面輝度との関係に基づいて、三刺激値（Ｘ，Ｙ，Ｚ）へ変換する。ここで、（数３）中のＫは変換マトリクスである。
【００６５】
【数３】
2007171029.tif 000005
【００６６】
カラー画像の画像情報には濃淡情報と色度情報が存在する。スジやムラの画像評価では主に濃淡情報のみ用いるが、本実施形態の画像品質定量評価では、色度情報をも用いて画像を評価する。しかし、人間の視覚特性は各色毎に異なり、各色成分を一元的に評価することはできない。そのため、各色毎の人間の視覚特性を、画像の各色成分それぞれにフィルタリング補正して評価するようにしている。
【００６７】
また、本実施形態においては、反対色空間を用いて処理することで、人間の主観評価とよく対応のとれた結果が得られるようになる。具体的には、（数３）により得られた三刺激値（Ｘ ，Ｙ ，Ｚ）を、（数４）による行列演算により３組（White-Black(K), Red-Green, Blue-Yellow）の反対色空間の刺激値へ変換する（ステップＳ１３）。
【００６８】
【数４】
2007171029.tif 000006
【００６９】
次に、スジやムラの主な出現方向を設定する。図８は反対色刺激値データの空間位置におけるスジ，ムラの出現方向を決定する様子を模式的に示した説明図である。このスジ，ムラの出現方向を示す特定の方向は、次のようにして設定する。
【００７０】
まず、撮像した２次元画像データ２１を、図８に示すように、画像の任意の方向から所定角度ごとに設定した複数の方向に沿ってそれぞれ加算（投影）し、複数の１次元プロファイル２３ａ，２３ｂ，２３ｃ，…を求める。そして、この１次元プロファイルの最大値と最小値との差δを最大とする方向を特定の方向として設定する。このような画素を投影する１次元平均化（ステップＳ１４）は、画像処理により高速に行われる。
【００７１】
つまり、検出手段８が撮像した２次元ＲＧＢ画像データ２１を平面上で所定角度θで回転させる処理と、各画素値を所定方向に投影する処理がなされ、どの方向かに現れる不特定なスジ，ムラに対して、その出現方向が自動的に検出される。なお、この特定方向の設定は、２次元ＲＧＢ画像データ２１以外にも、反対色空間の刺激値を用いて求めてもよい。
【００７２】
次に、（数４）により反対色空間の刺激値（Ｗ／Ｋ，Ｒ／Ｇ，Ｂ／Ｙ）に変換し、上記の特定方向に沿って加算（投影）した１次元刺激値データプロファイル２５ａ，２５ｂ，２５ｃ，…（図９参照）のそれぞれを、１次元フーリエ変換し、このフーリエ変換結果のパワースペクトルを算出することにより空間周波数分布を求める。
【００７３】
図９は特定方向に投影した１次元刺激値データプロファイルを図６のスジ，ムラ（ａ）、（ｂ）、（ｃ）に対応させて表した説明図である。以降の説明では、Ｗ／Ｋチャンネルのデータを代表として説明するが、Ｒ／Ｇ，Ｂ／Ｙチャンネルに対しても同様の処理を行うものとする。また、図１０は図９に示す１次元刺激値データプロファイルに対するフーリエ変換後のパワースペクトルを図６のスジ，ムラ（ａ）、（ｂ）、（ｃ）に対応させて表した説明図である。
【００７４】
１次元刺激値データプロファイル２５ａ，２５ｂ，２５ｃ，…に対してフーリエ変換を施すことにより、図１０に示すように周波数成分毎の強度分布を示すパワースペクトル２７ａ，２７ｂ，２７ｃ，…が求められる（ステップＳ１５）。そして、ステップＳ１５で得られたパワースペクトルに対して、人間の視覚特性に適応した空間周波数特性（ＭＴＦ）によりフィルタリング補正を行う（ステップＳ１６）。なお、フーリエ変換には様々な手法があるが、ここでは計算の簡略化のためＦＦＴ(Fast Fourier Transform)を用いて行う。
【００７５】
図１１は視覚特性のＭＴＦであって、Ｗ／Ｋチャンネルのバンドパス形状を（ａ）、Ｒ／Ｇ、Ｂ／Ｙチャンネルのローパス形状を（ｂ）に表した説明図である。
【００７６】
即ち、視覚特性適合部１０ｃにて、前記観察条件に対応したＭＴＦ特性２９ａ，２９ｂ，…を、フーリエ変換して得られた被評価画像のパワースペクトルに重畳するフィルタリング補正を施す。これにより、図１１に示すように、人間が強く感応する周波数成分（Ｗ／Ｋ成分に対しては、約０．４cycle／ｍｍが強くなる）に対してはより強調する一方、感応の弱い周波数成分（特には高周波成分）に対しては減衰させる。このため、人間の視覚特性に合致した空間周波数成分の感度に変換できる。また、上記のようなＭＴＦ特性の情報を、各観察条件毎に予め用意しておくことで、実際の観察条件に対応した適切な視覚系のＭＴＦフィルタを適宜選択してフィルタリング補正でき、補正処理の効果と信頼性をより高めることができる。
【００７７】
図１２はフィルタリング後のフーリエスペクトルを図６のスジ，ムラ（ａ）、（ｂ）、（ｃ）に対応させて表した説明図である。このようにして得られた図１２に示すフィルタリング処理後の空間周波数分布３１ａ，３１ｂ，３１ｃ，…に対し、フーリエ逆変換することにより、図１３に示すように、反対色空間における刺激値３３ａ，３３ｂ，３３ｃ，…を求める（ステップＳ１７）。図１３はフーリエ逆変換後の刺激値データプロファイルを図６のスジ，ムラ（ａ）、（ｂ）、（ｃ）に対応させて表した説明図である。このようにして、反対色空間における（Ｗ／Ｋ，Ｒ／Ｇ，Ｂ／Ｙ）に対する各刺激値が再合成される。
【００７８】
その結果、フーリエ逆変換後の１次元プロファイルは、視覚特性に準じて、図１３（ａ）においては一本スジの急峻な形状が鈍化し、図１３（ｂ）の周期的ムラ、及び図１３（ｃ）のランダムムラにおいては、その振幅が減少する。
【００７９】
次いで、フーリエ逆変換によって得られた結果から画像品質評価値算出部１０ｄにて評価値を算出する（ステップＳ１８）。画像品質評価値算出部１０ｄは、概略的には、ステップＳ１７にて戻された各１次元刺激値データプロファイルの位置(i)における各刺激値（Ｗ／Ｋi，Ｒ／Ｇi，Ｂ／Ｙi）に対する、刺激値データプロファイル全体の平均値（Ｗ／ＫAV，Ｒ／ＧAV，Ｂ／ＹAV）からの距離を表す差分値を求め、１次元刺激値データプロファイルの全位置に対する前記差分値に基づく値の総和を画像品質評価値として求める。このようなスジ，ムラの定量評価値となる画像品質評価値Ｅvは、具体的には次の（数５）により算出できる。
【００８０】
【数５】
2007171029.tif 000007
【００８１】
画像品質評価値Ｅvは、重みｆiと｜ΔＸi｜（ｉは撮像画像の投影方向に直交する軸方向位置を表す指標）との積の総和として表される。なお、｜ΔＸi｜は（数６）で表され、ｆiは（数７）で表され、スジ，ムラの良し悪しを判定する際は、スジ，ムラの発生している領域のみを観察しているという仮説に基づいて定式化した重み係数である。
【００８２】
【数６】
2007171029.tif 000008
【００８３】
【数７】
2007171029.tif 000009
【００８４】
ここで、図１４を参照して説明する。前述のステップＳ１７で得られる１次元の位置ｉに対する反対色の刺激値は、（Ｗ／Ｋｉ，Ｒ／Ｇｉ，Ｂ／Ｙｉ）の３つの刺激値が存在する。これら３つの刺激値のそれぞれに対して平均値(Ｗ／ＫAV，Ｒ／ＧAV，Ｂ／ＹAV)を求め、各位置ｉにおける反対色刺激値（Ｗ／Ｋi，Ｒ／Ｇi，Ｂ／Ｙi）とこれに対応する平均値(Ｗ／ＫAV，Ｒ／ＧAV，Ｂ／ＹAV )との差分値(Ｗ／Ｋi −Ｗ／ＫAV)，(Ｒ／Ｇi−Ｒ／ＧAV)，(Ｂ／Ｙi−Ｂ／ＹAV)を、３つの刺激値に対してそれぞれ求め、これら差分値の自乗和の平方根を（数６）に基づいて求めることで｜ΔＸi｜が得られる。また、重みｆiは、（数７）に示すように、｜ΔＸi｜の平均値からの距離に比例した値で、Σｆi＝１となるように正規化したものである。
【００８５】
従って、評価値Ｅv は、３種類の各刺激値に対し、検出手段８が検出した二次元カラー画像データの明度情報（Ｗ／Ｋ）と色差情報（Ｒ／Ｇ，Ｂ／Ｙ）の全体の平均値からの距離をそれぞれ求め、これら距離に対する自乗和の平方根に、重みｆiを乗算して総和をとったものとなる。
【００８６】
従って、上記の画像品質定量評価によれば、反対色空間に変換して色差情報も考慮することで、人間の視覚特性に応じた変調処理がより正確に行われ、スジ，ムラを統一的に定量評価することができる。
【００８７】
また、検出手段８の撮像した二次元カラー画像データに対する投影処理を所定角度θ毎に回転させて実施するので、検査対象フイルム１５の不特定な方向に発生するスジ，ムラの方向を自動的に特定することができる。
【００８８】
さらに、検出手段８の撮像した二次元カラー画像データを反対色空間へ変換（画像データ変換ステップ）して、特定方向の投影処理を行った後に視覚特性適合化ステップを実施するので、視覚特性適合化処理をデータ量の削減された１次元の状態で処理でき、計算負担が軽減してより高速な処理が可能となる。
（第３の実施形態）
【００８９】
次に、第２の実施形態の画像品質定量評価の別の実施形態を第３の実施形態として説明する。この実施形態においては、検出手段８が撮像した二次元ＲＧＢ画像データから反対色空間の刺激値を求め、２次元データのまま視覚特性適合化処理を実施し、その後に１次元への投影処理を行って画像品質評価値を求めている。
【００９０】
図１５は、本実施形態の画像品質定量評価手順を示すフローチャートであり、図１６は、２次元刺激値データに対する視覚特性適合化処理を概略的に表す説明図である。
【００９１】
本実施形態においては、検出手段８が撮像した二次元ＲＧＢ画像データを画像入力部１０ａが読み取り（ステップＳ２１）、その２次元画像データ（Ｒ，Ｇ，Ｂ）を、画像データ変換部１０ｂが三刺激値に変換し（ステップＳ２２）、図１６（ｂ）に示すように、反対色空間の刺激値データ（Ｗ／Ｋ，Ｒ／Ｇ，Ｂ／Ｙ）に変換する（ステップＳ２３）。
【００９２】
変換された反対色空間の刺激値データ（Ｗ／Ｋ，Ｒ／Ｇ，Ｂ／Ｙ）は、視覚特性適合部１０ｃによって、図１６（ｃ）に示すように、２次元フーリエ変換され、２次元のパワースペクトル４１ａ，４１ｂ，４１ｃが求められる（ステップＳ２４）。次いで、図１６（ｄ）に示すように、このパワースペクトル４１ａ，４１ｂ，４１ｃに対し、それぞれ人間の視覚特性を表すＭＴＦ４３ａ，４３ｂ，４３ｃを重畳し（ステップＳ２５）、さらに２次元フーリエ逆変換することで、図１６（ｅ）に示すように、スジ，ムラが視覚特性に準じて変調された反対色の刺激値データが得られる（ステップＳ２６）。
【００９３】
そして、本実施形態では、図１６（ｃ）〜（ｅ）の視覚特性適合化処理の後に図１６（ｆ）に示す１次元平均化処理がなされる（ステップＳ２７）。つまり、反対色空間における２次元刺激値データに対して、２次元のままスジ，ムラが視覚特性に準じて変調され、その後に１次元への投影処理が実施される。
【００９４】
以降の処理は第２の実施形態と同様であり、画像品質評価値算出部１０ｄによって、反対色空間の刺激値データの各位置における刺激値と、この刺激値データ全体の平均値との差分値をそれぞれ求め、これらの差分値に重み関数を乗じた値を全位置に対して求め、その総和を画像品質評価値Ｅvとする。
【００９５】
本実施形態の画像品質定量評価によれば、視覚特性適合化処理を２次元のデータのままで行うことにより、投影処理により１次元データ化してから行う場合と比較して、検出手段８が撮像した検査対象フイルム１５の二次元画像内に分布するスジ，ムラがより正確に強調されるため、スジ，ムラの検出精度が向上する。つまり、スジ，ムラが強調されてから投影処理するため、投影結果のＳＮ比が向上して縞とノイズとの分離が容易となる。
【００９６】
尚、上述した各実施形態により求められる画像品質評価値Ｅvの対数値をとり、これを定量評価値とすることで、人間の視覚評価との線形性を一層良好にすることが可能となる。
【００９７】
また、第２，第３の実施形態も第１の実施形態と同様に、求められた検査対象物の評価値の大きさによって検査対象物をランク付けしその結果を出力するのが好ましく、また、評価値が所定値の範囲を超えたとき欠陥品として結果を出力するのが良い。
【００９８】
更に、第２，第３の実施形態では、白色光を光源４として検査対象物の透過カラー画像データを演算処理に用いたが、単色光の光源４を用いて同じ演算処理を行っても良い。
【００９９】
また、第１の実施形態では、ハロゲンファイバー照明装置４からの照明光を平行光にしたが、液晶バックライトを平行光の光源とした場合、液晶パネルから部分偏光が発生していても、背景輝度Ｙｂの上昇と、Ｃ（＝ΔＹ／Ｙｂ）の低下に寄与するので、欠陥の見えやすい状態となるので問題はない。
【０１００】
更に、図１に示すレンズ６として、拡大縮小が可能なレンズを用いるのがより好ましい。拡大縮小可能なレンズを用いることで、被検査フイルムの二次元輝度分布から求めた空間周波数と、人間の視感度データとから、人間の目の感度が良い領域に対応してスクリーン７上の投影画像の拡大縮小ができるからである。
【０１０１】
（第４の実施形態）
次に、本発明にかかる第４の実施形態を説明する。図１７は、本発明の第４の実施形態に係る検査装置（表示デバイスシミュレート装置）の構成図である。この実施形態の検査装置は、検査対象としての光学補償フイルムをフルカラーで検査するが、これに限るものではなく、他の平板状の透明製品の欠陥検査も同様に行うことができる。
【０１０２】
本実施形態の検査装置は、一対の偏光子１，２と、偏光子１，２と平行且つ偏光子１と偏光子２との間に置かれる広帯域λ／４フイルム（λ／４広帯域位相子）３と、偏光子１の外側に配置された白色照明光源であるハロゲンファイバー照明装置４と、このハロゲンファイバー照明装置４からの光を平行光にして偏光子１に入射する平行光照射手段５と、ハロゲンファイバー照明装置４から偏光子１に入射され偏光子２から出射された光を集光するレンズ６と、レンズ６の透過光が投影されるスクリーン７とを備える。
【０１０３】
本実施形態の検査装置は、更に、スクリーン７の背面に設置されてスクリーン７に投影された像を検出する検出手段８と、該スクリーン７と検出手段８との間に配置されたフィルタ手段の一例であるカラーフィルタ２０と、所定の偏光状態を得るための偏光子１と広帯域位相子３の偏光子２に対する回転位置関係と対応付けたテーブルを記憶する記憶手段として機能する記憶部４１と、フィルタ２０により波長分散されて検出手段８が検出したそれぞれの透過光データを後述するように演算する演算装置１０と、所定の偏光状態を指定すると記憶部４９を参照して偏光子１の光学軸の回転角θ１（照明光の光軸に垂直な面内での回転角）と広帯域λ／４フイルム（λ／４広帯域位相子）３の光学軸の回転角θ２（照明光の光軸に垂直な面内での回転角）とを駆動する回転駆動装置１１とを備える。検出手段８としては、本実施形態では、二次元輝度計を用いるが、これに限定されるものではない。また、検出手段８には、検出データを取り込み、演算処理を実行する演算部４２が接続されている。
【０１０４】
λ／４広帯域位相子３は、波長が略４００〜８００ｎｍの可視域の光に対して図２に示すような光学特性を有する。即ち、波長６１０ｎｍの赤色光（Ｒ光）に対して位相差１２０ｎｍ、波長５４０ｎｍの緑色光（Ｇ光）に対して位相差１５１ｎｍ、波長４００ｎｍの青色光（Ｂ光）に対して位相差１５９ｎｍを持っている。
【０１０５】
カラーフィルタ２０は、赤色光（Ｒ光）のみを透過させるＲ干渉フィルタ、緑色光（Ｇ光）のみを透過させるＧ干渉フィルタ、および青色光（Ｂ光）のみを透過させるＢ干渉フィルタの３枚のフィルタであり、スクリーン７に投影された投影画像が、検出手段８の前（偏光子２側）に配置されたカラーフィルタ２０（Ｒ干渉フィルタ、Ｇ干渉フィルタ、またはＢ干渉フィルタ）に従って赤色、緑色、または青色が検出手段８で検出される。尚、カラーフィルタ２０は、検出手段８に内蔵されたものであってもよい。
【０１０６】
本実施形態の検査装置では、被検査フイルム１５を広帯域λ／４フイルム３と偏光子２との間に挿入し、欠陥検査を行うが、被検査フイルム１５のフイルム面は、偏光子１，２や広帯域λ／４フイルム３の面と平行に配置する。また、被検査フイルム１５のフイルム面内光学軸は、被検査フイルムの種類によって決まる。例えば、ＴＮ用ＷＶフイルムの場合、ＷＶフイルム光学軸と偏光子２の透過軸と一致、ＶＡ用２軸フイルムの場合、２軸フイルム光学軸と偏光子２の透過軸と一致、ＯＣＢ用ＷＶフイルムの場合、支持体の光学軸と偏光子２の透過軸と一致するようにし、レンズ６は、その透過光が被検査フイルム１５に観察焦点を合わせる様に位置調整される。
【０１０７】
被検査フイルム１５のフイルム面は、任意の角度へ変更可能であり、任意の視角からフイルム１５を検査できる様になっている。照明光が被検査フイルム１５のフイルム面上で一様な偏光を持つためには、照明光は拡散光ではなく平行光であることが望ましく、本実施形態では、平行光照射手段５を用いて平行光にしているが、平行光にする具体的手段は何でもよい。このように、平行光を照明光として用いることで、検出手段８の配置位置に依存する視角依存性が少なくなり、照明領域内輝度信号を一様にすることができるという効果も得られる。
【０１０８】
本実施形態の検査装置では、被検査フイルム１５に対して偏光子１，広帯域位相子（広帯域λ／４フイルム）３を通して平行な照明光が入射され、被検査フイルム１５の透過光が偏光子２を透過し、レンズ６で集光され、スクリーン７に投影される。この投影画像は、カラーフィルタ２０（Ｒ干渉フィルタ、Ｇ干渉フィルタ、またはＢ干渉フィルタ）を介して検出手段８で検出され、検出データが演算装置４２に出力される。
【０１０９】
演算部４２は、Ｒ、Ｇ、Ｂ３つの干渉フィルタを介して検出された透過光データを統合して１つの透過光データを得る。
【０１１０】
例えば、偏光子と広帯域位相子の組合せで発生可能な偏光状態は、次の（数１）で計算できる。
【０１１１】
【数８】
2007171029.tif 000010
【０１１２】
ここで、
α１；位相子進相軸の地面に対する傾き角度。
α２；偏光子透過軸の地面に対する傾き角度。
δ  ；位相子の位相差。
具体的には、波長６１０ｎｍの赤色光（Ｒ光）に対する位相差は１２０ｎｍであるのでδred＝２π×１２０／６１０、波長５４０ｎｍの緑色光（Ｇ光）に対する位相差は１５１ｎｍであるのでδgreen＝２π×１５１／５４０、波長４４０ｎｍの青色光（Ｂ光）に対する位相差は１５９ｎｍであるのでδblue＝２π×１５９／４４０となる。
【０１１３】
位相子の位相差δ（δred、δgreen、δblue）および入射偏光状態は固定なので、位相子進相軸の地面に対する傾き角度α１と偏光子透過軸の地面に対する傾き角度α２とを指定すれば、入射光の偏光状態を調整することができる。
【０１１４】
偏光子透過後の直線偏光の方位角度と位相差進相軸との組合せで発生可能な偏光状態は、例えば、波長４４０ｎｍ（青色光（Ｂ光））に対して（数２）で表される。尚、波長６１０ｎｍ（赤色光（Ｒ光））および波長５４０ｎｍ（緑色光（Ｇ光））の偏光状態も、同様に表される。
【０１１５】
【数９】
2007171029.tif 000011
【０１１６】
（数２）において、ａとｂとの組合せで再現可能な偏光状態は、図４に示すポアンカレ球として図示される。図４に示すように、円偏光領域以外では、任意の偏光が発生できる。図４に示すポアンカレ球において、極部の白い領域は高輝度領域を示している。検査対象フイルム１５のムラ検査では、高輝度領域は必要ではなく、本発明では、実質的に必要とされるポアンカレ球の赤道部分付近の領域を偏光子１および広帯域位相子３を用いて偏光させる。
【０１１７】
従って、予め液晶パネルより出射されるＲ、Ｇ、Ｂフィルタごとの偏光状態を測定しておき、（式２）に基づいて青色光（Ｂ光）の測定偏光状態を偏光子１、広帯域位相子３の光学軸を平行光垂直面内で回転させて再現する。この再現光を検査対象フイルム１５に照射することで、検査対象フイルム１５および偏光子２の透過光が、スクリーン７に投影されて画像を形成する。この画像は、Ｂ干渉フィルタ（カラーフィルタ２０）を通して検出手段８により検出され、輝度分布が測定される。
【０１１８】
同様に、赤色光（Ｒ光）、緑色光（Ｇ光）についても輝度分布を測定する。得られた３つの輝度分布データ（Ｒ、Ｇ、Ｂ輝度分布データ）を、演算部４２において、下式
フルカラー輝度ムラ分布画像＝Ａ１×Ｒ輝度分布＋Ａ２×Ｇ輝度分布＋Ａ３×Ｂ輝度分布
に従って重み付けをして加算することにより検査対象フイルム１５を使用した際の色をフルカラーで観察、評価することができる。但し、Ａ１、Ａ２、Ａ３は、重み係数である。
【０１１９】
以上の様にして、本実施形態の検査装置では、検査員は液晶パネルに光学フイルムを実装した状態を光学的にシミュレートした条件で光学フイルムを目視検査することが可能となる。液晶パネルの出射偏光状態は、白・グレー・黒といった０〜２５５の階調信号毎に異なるが、それぞれに対応した状態でのフイルム面状評価も可能になる。
【産業上の利用可能性】
【０１２０】
本発明に係る検査装置は、透明物体の欠陥を容易に検査できるため、位相差フイルムや視野角改善用の光学補償フイルム、液晶パネル等のディスプレイ製品などをフルカラー検査する際に適用すると有用である。
【図面の簡単な説明】
【０１２１】
【図１】本発明の第１の実施形態に係る検査装置の構成図である。
【図２】広帯域位相子の光学特性を示すグラフである。
【図３】図１の検査装置で行う最適化手法の説明図である。
【図４】ポアンカレ球上の偏光状態を示す図である。
【図５】本発明の第２の実施形態に係る検査装置で用いる演算装置の機能ブロック図である。
【図６】スジ，ムラの例を（ａ）、（ｂ）、（ｃ）に表した説明図である。
【図７】本発明の第２の実施形態に係る画像品質定量評価手順を示すフローチャートである。
【図８】反対色刺激値データの空間位置におけるスジ，ムラの出現方向を決定する様子を模式的に示した説明図である。
【図９】特定方向に投影した１次元刺激値データプロファイルを図６のスジ，ムラ（ａ）、（ｂ）、（ｃ）に対応させて表した説明図である。
【図１０】図９に示す１次元刺激値データプロファイルに対するフーリエ変換後のパワースペクトルを図６のスジ，ムラ（ａ）、（ｂ）、（ｃ）に対応させて表した説明図である。
【図１１】視覚特性のＭＴＦであって、Ｗ／Ｋチャンネルのバンドパス形状を（ａ）、Ｒ／Ｇ、Ｂ／Ｙチャンネルのローパス形状を（ｂ）に表した説明図である。
【図１２】フィルタリング後のフーリエスペクトルを図６のスジ，ムラ（ａ）、（ｂ）、（ｃ）に対応させて表した説明図である。
【図１３】フーリエ逆変換後の１次元刺激値データプロファイルを図６のスジ，ムラ（ａ）、（ｂ）、（ｃ）に対応させて表した説明図である。
【図１４】刺激値（Ｗ／Ｋi，Ｒ／Ｇi，Ｂ／Ｙi）に対する、平均値（Ｗ／ＫAV，Ｒ／ＧAV，Ｂ／ＹAV）からの距離を示す説明図である。
【図１５】本発明の別実施形態に係る画像品質定量評価手順を表すフローチャートである。
【図１６】２次元刺激値データに対する視覚特性適合化処理を概略的に表す説明図である。
【図１７】本発明の第４の実施形態に係る検査装置の構成図である。
【符号の説明】
【０１２２】
１，２  偏光子
３  広帯域λ／４フイルム（広帯域位相子）
４  ハロゲンファイバー照明装置（白色照明光源）
５  平行光照射手段
６  集光レンズ
７  スクリーン
８  検出手段
９  人間の視感度データ等を格納したメモリ
１０  演算装置
１１  回転駆動装置
１５  検査対象（平板状透明製品）
２０  カラーフィルタ（フィルタ手段）
４１  記憶部
４２  演算部
θ１  偏光子の光学軸の角度
θ２  広帯域位相子の光学軸の角度
【図１】
2007171029.tif 000012
【図２】
2007171029.tif 000013
【図３】
2007171029.tif 000014
【図４】
2007171029.tif 000015
【図５】
2007171029.tif 000016
【図６】
2007171029.tif 000017
【図７】
2007171029.tif 000018
【図８】
2007171029.tif 000019
【図９】
2007171029.tif 000020
【図１０】
2007171029.tif 000021
【図１１】
2007171029.tif 000022
【図１２】
2007171029.tif 000023
【図１３】
2007171029.tif 000024
【図１４】
2007171029.tif 000025
【図１５】
2007171029.tif 000026
【図１６】
2007171029.tif 000027
【図１７】
2007171029.tif 000028